(57)【要約】      （修正有）【課題】自動車やバイクにおいて、廃車処分される部品を安価で譲り受け再利用することにより、僅かではあるが、処分における二酸化炭素の発生の原因になる欠点を解消する、回転式展示台付照明器具を提供する。【解決手段】ディスクローター２を回転展示台の土台に使用し、二つのコンロッド４を組み合わせて二段の回転体とし、該回転体の先端部には、それぞれ受け皿や鉛筆やボールペンなどの筆記具の保持具等を取り付けると、ブレーキパッドの回転軸に軸支した前記コンロッドは、それぞれ回転するようにし、前記回転軸はパイプ状であるので、該パイプ先端部に、従来ある照明器具の支持軸を前記パイプの先端部に挿入し、照明器具とすることとした。【選択図】図１
0003235439.tif 000002
【実用新案登録請求の範囲】
【請求項１】
自動車やバイク等のコンロッドやディスクローター等の廃材を利用して、回動することを特徴とする回転式展示台付照明器具である。
【請求項２】
［請求項１］の自動車やバイク等のコンロッドやディスクローター等の廃材を利用し、樹脂塗装を木材に加工処理したことを特徴とする、回転式展示台付照明器具である。
【考案の詳細な説明】
【技術分野】
【０００１】本考案は、自動車や自動二輪車の廃材を利用した回転式展示台に関する。
【背景技術】
【０００２】自動車や自動二輪車の廃車処分では、概ね廃車処分業者によって、再利用できるエンジンやその他の部品を除いては、鉄やその他金属を溶解し再利用してきたが、該廃材の中で、コンロッド連結棒、ディスクローターや工業糸巻の部品等を利用して照明器具を取り付けた回転式展示台にすることを目的としてきた。【０００３】また、廃材を使用することで、材料が廃材なので安価に手に入れることや照明器具を取り付けて、インテリアとして販売することができる。
【考案の課題】
【考案が解決しようとする課題】
【０００４】従来、自動車や自動二輪車において廃車となるものは、ほぼ廃棄処理業者によって、資源の再利用する材料としてきたが、前記廃車するものは、それぞれ廃材費として廃棄処理業者が利益を受けてきたが、前記廃車処分される部品を安価で譲り受けることにより、僅かではあるが、処分における二酸化炭素の発生の原因になる欠点を解消しようとするものである。
【課題を解決する為の手段】
【０００５】本考案では、ディスクローターを回転展示台の土台に使用し、二つのコンロッドを組み合わせて二段の回転体とし、該該回転体の先端部には、それぞれ受け皿や鉛筆やボールペンなどの筆記具の保持具等を取り付けると、前記ブレーキローターの回転軸に軸支した前記コンロッドは、それぞれ回転するようにし、前記回転軸はパイプ状であるので、該パイプ先端部に、従来ある照明器具（通称Ｚライト）の支持軸を前記パイプの先端部に挿入し、照明器具とすることとした。
【考案の効果】
【０００６】上述のように、本考案である、回転式展示台付照明器具は、廃車処分される廃材を再利用することにより、僅かではあるが、二酸化炭素の発生の軽減となり地球環境にも役立ち、インテリアとしても使用可能になった。
【図面の簡単な説明】
【０００７】
【図１】は、本考案を説明する全体斜視図である。
【図２】は、本考案の使用状態を説明する参考斜視図である。
【図３】は、本考案を説明する全体斜視図である。
【考案を実施するための形態】
【０００８】本考案を図１から図２に従って、本考案にかかる一実施形態について詳細に説明する。
【０００９】図面に従って、詳しく説明すると、［図１］は、本考案の全体図を示し、［図２］は、［図１］のＡ部の拡大図で、［図３］は、使用状態を示す一実施例を示すものであり、様々なものを受け皿に載せた状態である。
【００１０】  本考案全体１０は、土台となるディスクローター２の中心部にフランジ４０の中心部に支持パイプ２０を前記ディスクローター２の立ち上がり部１６とボルト４１で固定し、前記支持パイプ２０にコンロッド４の中心部を挿通して、二段回転可能にコンロッド４が装着され、前記支持パイプ２０の先端部には、いわゆる、Ｚライトの照明器具８の回転軸３９が挿入して装着され、前記コンロッド４の先端部５及び２７には、小さい受け皿６、大きな受け皿１８、エンピツ２２やボールペン２３等を保持するプレート７から構成されている。
【００１１】さらに、詳しく説明すると、下段にある前記コンロッド４の一方の先端部５には大きな受け皿１８を装着し、他方の先端部２７の上下に挟持するよう、引張ばね１９で固定された円板７には、周方向に円形の孔２１が複数個設けられ、該円板７の中心部には、円形の孔２６を持つ半球状の支持材２５が固着されている。
【００１２】前記、小さな受け皿６や大きな受け皿１８は夫々回転可能であり、他方の円板７も回転可能になっている。
【００１３】前記、Ｚライト照明器具８は、下から回転軸３９の上にアーム１２の連結具３５で中程にある連結具３６と連結され、前記アーム１２と連結具３５と引張ばね１３で常時テンションが掛かった状態で、同様にソケットカバー１４を持つシェード１５と上部連結具３３が引張ばね１１で装着され、該連結具３３と回転軸３０が固着されている。
【００１４】次に、［図３］で示す、一実施例である、前記小さな受け皿６には、中央に孔を持つ半球状の支持に試験管３７を挿入してそこに観葉植物３８をさし、大きな受け皿１８には、小さな植木鉢４２、前記円形の複数個の孔２１を持つ円板７には、ガラスの試験管２９に前記孔２１に挿入したとき抜け止めとしてＯリング２４を持つガラスの試験管２９にエンピツ２２やボールペン２３を差し込んだ使用状態である。
【００１５】上記で示した、Ｚライト照明器具８は、一実施例を示すもので、支持パイプ２０に挿入できる支持軸を持つライトであればどんなものでも可能で、本考案では、趣旨として主要構造部である、自動車やバイクの廃材や工業用糸巻アルミプレートを利用して構成されたものは、鋼鉄製、鋳物やアルミ材であるが、樹脂材や木製でも製作においては可能である。
【符号の説明】
【００１６】１・・・・・・・支持材全体
２・・・・・・・ディスクローター
３・・・・・・・支持パイプ
４・・・・・・・コンロッド
５・・・・・・・コンロッド先端部
６・・・・・・・小さい受け皿
７・・・・・・・工業用アルミプレート
８・・・・・・・Ｚライト
９・・・・・・・上部アーム
１０・・・・・・本考案全体
１１・・・・・・引張ばね
１２・・・・・・下側アーム
１３・・・・・・引張ばね
１４・・・・・・ソケットカバー
１５・・・・・・シェード部
１６・・・・・・立ち上がり部
１７・・・・・・ボルト
１８・・・・・・孔
１９・・・・・・スペーサ
２０・・・・・・支持パイプ
２１・・・・・・円形の孔
２２・・・・・・エンピツ
２３・・・・・・ボールペン
２４・・・・・・Ｏリング
２５・・・・・・半球状の支持材
２６・・・・・・丸孔
２７・・・・・・コンロッド先端部
２８・・・・・・半球状支持材
２９・・・・・・ガラスの試験管
３０・・・・・・回転軸
３１・・・・・・支持材
３２・・・・・・半球状支持材
３３、３５、３６・・・・・・連結部
３７・・・・・・試験管
３８・・・・・・・観葉植物
３９・・・・・・・ライト回転軸
４０・・・・・・・円板（木製アクリル塗装）
４１・・・・・・・スレンレスボルト（固定部）
【図１】
0003235439.tif 000003
【図２】
0003235439.tif 000004
【図３】
0003235439.tif 000005
【手続補正書】
【提出日】令和3年9月17日(2021.9.17)
【手続補正１】
【補正対象書類名】実用新案登録請求の範囲
【補正対象項目名】全文
【補正方法】変更
【補正の内容】
【実用新案登録請求の範囲】
【請求項１】
自動車やバイク等の廃材であるコンロッド又はディスクローターを利用して、回動することを特徴とする回転式展示台付照明器具である。
【請求項２】
［請求項１］の自動車やバイク等の廃材であるコンロッドやディスクローターを利用し、展示台部分を金属、木材又は樹脂で形成したことを特徴とする、回転式展示台付照明器具である。